(57)【要約】      （修正有）【課題】図柄が形成された光を透過させない平面箔部と、凸凹箔部とからなる箔押層を、同時にアクリル板の裏面に熱転写して貼着させることにより、量産が可能で、視覚性と遊戯性を高めた遊戯盤面の箔押付きアクリル板を提供する。【解決手段】遊戯球または遊戯メダルを投入してプレイを行う遊技機の表面に装着される箔押層付のアクリル板１０であって、ゲームの進行状況に応じて電照表示される遊戯盤面の箔押層付のアクリル板１０が、図形の形成された光を透過させない平面箔部３０と、同じく光を透過させない凸凹箔部４０とからなり、該２層からなる箔押層を熱転写によりアクリル板の裏面２４に同時に印刷して形成する。【選択図】図１
2013236673.tif 000002
【特許請求の範囲】
【請求項１】
遊戯球または遊戯メダルを投入してプレイを行う遊技機の表面に装着される箔押層付のアクリル板において、
ゲームの進行状況に応じて電照表示される遊戯盤面の箔押層付のアクリル板が、図形の形成された光を透過させない平面箔部と、同じく光を透過させない凸凹箔部とからなり、該２層からなる箔押層をアクリル板の裏面に同時に熱転写して形成することを特徴とする箔押層付きアクリル板。
【請求項２】
前記アクリル板は、光透過性のある印刷層を箔押層の上に形成したことを特徴とする請求項１記載の箔押層付きアクリル板。
【請求項３】
前記アクリル板は、光透過性のあるシール層を箔押層の上に形成したことを特徴とする請求項１記載の箔押層付きアクリル板。
【発明の詳細な説明】
【技術分野】
【０００１】
本発明は、加圧、または、加熱によりアクリル板に箔押層を貼着させ、遊戯盤面の背後からの照射を透過させることにより、浮かび上がる抜き柄部を引き立たせて、より遊戯性を高める遊戯機の表示部分に関し、特に、凸部と凹部の加工が予め施された箔層をアクリル板に貼着させるため、仕上がりまでの工程数を減らす事が出来る遊戯機の表面に装着される箔押層付きアクリル板に関する。
【背景技術】
【０００２】
従来、照明を透過させて抜き柄および図柄を浮き上がらせることにより遊戯性を高めた表示パネルにおいては、印刷および塗装により塗料を塗布する方法、または、平面金属箔など加圧または加熱により、熱可塑性の汎用樹脂に貼着させる方法が用いられていた。
【０００３】
遊戯球または遊戯メダルを投入してプレイを行う遊技機においては、照明の透過を利用して遊戯者の視覚効果を高めることに注目が集まっている。そのため、光の透過、および、反射など様々な効果を利用して視覚性を高め、遊戯性を向上させているが、抜き柄部分をより立体的に表現することが望まれていた。しかしながら、印刷、フィルム貼着または、平面金属箔を貼着する方法では、図柄部分に立体性を持たせるためには、平面を形成する第一工程と、凸凹面を形成する第二工程が必要であった。従来の方法では、立体的な図柄を表現するために複数の工程を必要とするため、量産性に欠けるものもあった。
【０００４】
また、従来の方法では、図柄部分に凹凸形状を形成するためには複数の工程を経る必要があったため、製造工程が必然的に複雑となり、製造が容易でないという難点と製造コストが上がるという欠点もあった。
【０００５】
そこで、製造容易性と量産性に優れ、また、塗料等を複数層重ねることにより立体的に表現された平面層では表現できない実際の凹凸を形成することが可能であり、尚且つ一工程で平面層と凸凹層を形成することが可能である遊戯機表示部パネルの開発が望まれていた。
【先行技術文献】
【特許文献】
【０００６】
【特許文献１】特開２００９−１５７３１５号公報
【発明の開示】
【発明が解決しようとする課題】
【０００７】
本発明の目的は、上記課題を解決するため、予め図柄が形成された光を透過させない平面箔部と、凸凹箔部とからなる箔押層を、同時にアクリル板の裏面に熱転写して貼着させることにより、量産が可能で、視覚性と遊戯性を高めた遊戯盤面の箔押付きアクリル板を提供することを目的とする。
【課題を解決するための手段】
【０００８】
上記目的を達成するため本発明に係る箔押層付きアクリル板は、遊戯球または遊戯メダルを投入してプレイを行う遊技機の表面に装着される箔押層付のアクリル板であって、ゲームの進行状況に応じて電照表示される遊戯盤面の箔押層付のアクリル板が、図形の形成された光を透過させない平面箔部と、同じく光を透過させない凸凹箔部とからなり、該２層からなる箔押層をアクリル板の裏面に同時に熱転写して形成する構成である。
【０００９】
また、アクリル板は、光透過性のある印刷層を箔押層の上に形成した構成である。さらに、アクリル板は、光透過性のあるシール層を箔押層の上に形成した構成でもある。
【発明の効果】
【００１０】
本発明に係る箔押層付きアクリル板は、上記詳述した通りの構成であるので、以下のような効果がある。
１．遊戯の進行状況に応じて遊戯盤面の箔押層を電照表示するアクリル板が、図形の形成された光を透過させない平面箔部、または、同じく光を透過させない凸凹箔部とからなる箔押層とからなり、これら２層を同時にアクリル板の裏面に熱転写して形成するため、少ない工程でありながら、遊戯機の盤面の表面を立体的に表現することが可能となった。
２．光透過性の印刷層を箔押層の上に形成するため、その視覚効果による遊戯性を更に向上させることが可能である。
３．光透過性のシール層を箔押層の上に形成するため、更に視覚性ならびに遊戯性を向上させることが可能となった。
【図面の簡単な説明】
【００１１】
【図１】本発明に係る箔押層付きアクリル板の断面図
【発明を実施するための最良の形態】
【００１２】
以下、本発明に係る箔押層付きアクリル板を図面に示す実施例に基づいて詳細に説明する。
本発明に係る箔押層付きアクリル板１０は、アクリル板２０と、平面箔部３０と、凸凹箔部４０と、印刷層５０、とからなる構成である。
【００１３】
図１は、箔押層付きアクリル板の断面図である。平面箔層３０、および、凸凹箔層４０は、図１に示すように、アクリル板２０と印刷層５０の中間に配され、アクリル板の裏側から熱転写により同時に貼着される構成である。
【００１４】
アクリル板２０は、パネル表面２２と箔押層貼着面２４を備えたアクリル平板から成り、パネル表面２２に表示される図柄である箔層が裏面から貼着された構成である。アクリル板２０のパネル表面２２は、遊戯機内部の照明を透過させて図柄を視認可能な状態にする表示部であり、光を透過させない箔押層の形状がパネル表示面の図柄として表される。図に示す実施例では、平面箔層３０と凸凹箔層４０とが左右に分割して貼着されている構成が示されているが、これに限定されるものではない。また、箔押層の上に印刷層が形成されているが、本実施例に限定されるものではない。
【００１５】
平面箔部３０は、箔押層で形成された図柄の凸凹面が形成されていない平滑な部分であり、アクリル板２０の裏面からアクリル板に貼着される構成である。
【００１６】
凸凹箔部４０は、凸部４２と、凹部４４を備えた構成である。凸凹部は薄く伸ばした金属からなる箔に圧力をかけることにより延伸させて立体的図柄を形成する構成である。箔を延伸させて凹凸を表現しているため、滑らかな曲面に形成することが可能である。
【００１７】
印刷層５０は、アクリル板２０の裏面に貼着された箔押層３０、４０の上から塗布される印刷である。一面に均一に光透過性の塗料を塗布し、透明なアクリル板全体の色味を変更させることが可能である。また、光遮断性の塗料と光透過性の塗料により、箔押で形成された図柄以外の抜き柄などを形成することも可能である。本実施例では印刷層が形成されているが、シール層とすることも可能であり、また印刷とシールを積層することも可能である。
【００１８】
凹凸を予め形成した、平面箔部と凸凹箔部を有する箔押層を一工程でアクリル板に熱転写貼着することで、製造工程を簡略化し製造コストを抑えることが可能である。また、製造が容易であるため、凹凸形状を有する遊戯盤面の箔押層を電照表示するアクリル板の量産を可能にするものでもある。
【００１９】
箔は柔らかく延伸性に優れているため、微細な凹凸を表現することが可能であり、また、塗料などを積層した立体的形状とは異なり、滑らかな曲面や波形状を形成することが可能となる。このような形状を表現した箔を使用することにより、遊戯機が発する照明の光を様々な方向へ反射させることが可能となる。印刷、塗装、または、樹脂などのフィルムでは再現できない曲面が反射させる光の輝き、および、拡散により、様々な色の照明を多用することにより、ゲームの進行に沿って、遊戯進行状況を演出する遊戯機の遊戯性を更に高めることが可能となった。
【符号の説明】
【００２０】
１０  箔押層付きアクリル板
２０  アクリル板
２２  パネル表面
２４  箔押層貼着面
３０  平面箔部
４０  凸凹箔部４０
４２  凸部
４４  凹部
５０  印刷層
【図１】
2013236673.tif 000003